(57)【要約】      （修正有）【課題】プレー中に、基盤がキャップのバイザーから脱落をすることがあり、ボールマークも伴って脱落をする。従って、その都度、基盤とボールマークを切り離して使用することになり、不便を強いられる。更に、基盤とボールマークは、一体で販売されており、個々の購入は出来ないので、不経済になる。また、キャップに取り付けられた装飾品は、キャップに縫い付け、あるいは接着、あるいは金具による固定がなされており、装飾品の変更要求に応じて、その都度新しいキャップの購入を強いられる。これらの問題を解決するキャップを提供する。【解決手段】図−４に示す、キャップ（４１）のバイザーの先端に、基盤（４５）が取り付けられており、該基盤（４５）にグリーンマーク（４６）を、双方の磁性を利用して吸着固定されている。【選択図】図−４
2019210583.tif 000002
【特許請求の範囲】
【請求項１】
キャップは、和名で帽子と称し、頭を包みこむ、半円球状のクラウンと、鍔と称するバイザーで構成されている。該キャップの構造並びに形態に、磁性の物体、あるいは、磁性の作用を受ける物体を組み込んだことを特徴とする、キャップ。
【発明の詳細な説明】
【技術分野】
【０００１】    ゴルフのプレー中において、プレーヤーが、自分のボールを拾い上げる前に、ボールの現位置を明示するため、ボールの後方に、ボールマークと呼ばれるコイン状の物を置いて、ボールを拾い上げる。該ボールマークは、磁性による、吸着可能な基盤と、グリーンマークがセットで使用される。あるいは、帽子のデザインのために取り付けられた、装飾品を、自由で容易に取り換えをする。
【背景技術】
【０００２】    該ボールマークは、コインに酷似の、金属製の円盤を使用する場合が多い。この場合プレーヤーは、該ボールマークを、ポケットに保管するか、あるいは、キャップのバイザーに、予め取り付けておいた、磁石や、磁性に反応する基盤に、ボールマークを吸着させておいたものを、その都度脱着して、グリーン上で使用する。また、キャップに取り付けられた装飾品は、縫い付けあるいは、金具による固定、あるいは、接着材による固定がされている。
【先行技術文献】
【特許文献】
【０００３】    該当物件確認出来ず。
【発明の概要】
【発明が解決しようとする課題】
【０００４】  図―３に示す、ボールマーク（３０）は、図―４に示す、キャップ（４１）のバイザー（４３）に予め取り付けておいた、磁性並びに、磁性に作用する基盤（４５）に吸着させており、該基盤（４５）は、キャップ（４１）のバイザー（４３）の厚みを利用して、バイザー（４３）に挟み込む。該基盤（４５）は、図―２に示す、Ｕ字形のバネ状のクリップ（２２）が取り付けてあり、プレー時に体が振れる事により、頭が急激に回転したりショット時のショックによって、自然に外れたりする。またバイザー（４３）が変形していたり、バイザー（４３）の厚みが薄いと、図―２に示す、クリップ（２２）の固定効果が薄れる。【０００５】  また  図―４に示す、ボールマーク（４６）を、バイザー（４３）に取り付けられた基盤（４５）に吸着させるためには、基盤（４５）が取り付けられた、位置に限定されたのみに有効に働く。
更に、ゴルフのプレー中に、図―４に示すボールマーク（４６）を、該基盤（４５）から手で取り外す時、ボールマーク（４６）に吸着したまま、ボールマーク（４６）と一体になって外れる事が有り、その都度、ボールマーク（４６）と、基盤（４５）を切り離す必要がある。【０００６】  さらに  図―４に示す、該基盤（４５）や、ボールマーク（４６）を紛失すると、ボールマーク（４６）と基盤（４５）は、両方をセットで販売されているため  改めて新しいものの購入が必要になる。
【課題を解決するための手段】
【０００７】    図―４に示す、ボールマーク（４６）を吸着させる為の、相手方の基盤（４５）に変わる働きをさせる為に、キャップ（４１）のバイザー（４３）や、クラウン（４２）に  磁性に作用する物体を組み込む。
【発明の効果】
【０００８】    図―５に示す、キヤップ（５１）のバイザー（５３）の厚みの中に、磁性体（５５）あるいは、磁性体に作用する物体を取り付ける事により、図―４に示す、基盤（４５）が不要になり、更に、バイザー（５３）の全域に吸着可能になるので、図―３に示すボールマークの脱着時の、位置確認の為の、神経の浪費が軽減される。【０００９】    更に図―４に示す、基盤（４５）が不要になり、ボールマーク（４６）のみの購入でよいので、経済的な軽減が可能になる。【００１０】  図―１０に示す、キャップ（１０１）に取り付けられた、装飾品（１０４）は、キャップ（１０１）のバイザー（１０３）に縫い付け、あるいは金具での固定、あるいは接着されており、容易に取り換えが出来ない構造になっている。  本発明は  磁性体を利用した構造になっているので、任意で何時でも容易に、装飾品の取り換えが出来る。
【図面の簡単な説明】
【００１１】
【図−１】  キャップの斜視図。
【図−２】  基盤の構造図。
【図−３】  ボールマークの構造図。
【図−４】  キャップに  基盤を取り付けた  状況斜視図。
【図−５】  バイザーに  平板状の物体を取り付けた状況。
【図−６】  バイザーに  短冊状の物体を散り付けた状況。
【図−７】  バイザーに  網状の物体を取り付けた状況。
【図−８】  バイザーに  穴開き状の平板物体を取り付けた状況。
【図−９】  バイザーに  線状の物体を取り付けた状況。
【図−１０】  バイザーに  装飾品を取り付けた状況。
【発明を実施するための形態】
【００１２】  図―１に示すキャップ（１）は、レンゲ（４）を組み合わせたクラウン（２）と、バイザー（３）とからなる。
該キャップ（１）のバイザー（３）は、上面の膜（３Ａ）と、下面の膜（３Ｂ）と  芯材（３Ｃ）とからなる。
【００１３】  従来は、ゴルフプレーヤーが、グリーン上に乗った、自分のボールを拾い上げる前に、該ボールの現位置を表示するために、カップに向かって、ボールの後方に、図―３に示す、ボールマーク（３０）を置く。
この場合、図―３に示す、ボールマーク（３０）は、図―４に示す、キャップ（４１）のバイザー（４３）の先端に取り付け、基盤（４５）の上に吸着させてあった、ボールマーク（４６）を外して、グリーン上に置く。
【００１４】  図―４に示す、基盤（（４５）は、図―２に示す、構造になっており、本体（２１）と、本体（２１）の背面に取り付け、られた、バネクリップ（２２）とからなり、図―４に示す、バイザー（４３）に取り付ける場合は、図―２に示すバネクリップ（２２）を、図―４に示すバイザー（４３）に差し込んで使用する。  該基盤（４５）は、磁性体もしくは  磁性体に作用する材料が使用されている。
【００１５】  図―３に示す、ボールマーク（３０）は、コインに酷似した形をしており、背面の中央に、磁石（３１）が取り付けられている。
【００１６】  ゴルフプレーヤーが、図―４に示す、基盤（４５）から、ボールマーク（４６）を取り外す時、基盤（４５）と、ボールマーク（４６）が、一体になって外れる為に、改めて基盤（４５）と、ボールマーク（４６）を切り放す手間が生じる不便さがある。
【００１７】  以下に実施例を示すが、記述中の磁性体とは、磁気を帯びた物体であり、磁性体に作用する物とは、磁性体に吸着作用を及ぼす物体を指す。また磁性体には、磁気シートや、磁性を帯びることが可能な粉末を練り込んだシートも含む。
更に、図―１に示す、キャップ（１）の、バイザー（３）に取り付ける物体は  磁性体で有っても良く、あるいは、磁性体に吸着作用を及ぼす物でも良いが、図―３に示す  ボールマーク（３０）の背面には  磁石が取り付けられているので  この場合磁性体に吸着作用を及ぼす物でも良い。  また、磁石を取り付けていない、磁性体に吸着作用を及ぼすボールマークの場合は、バイザー（３）に取り付けるものは、磁性体にする。  更に、バイザー（３）に取り付ける物と、ボールマーク双方に磁性を持たせたものの方が吸着性を増すので、どちらに磁性体を配置するかの組合せの選択は自由である。
【実施例１】
【００１８】    図―５に示す、キャップ（５１）は、バイザー（５３）の中に、磁性体あるいは磁性体に吸着作用を及ぼす物体を、平面的に配置し取り付けた物である。  この場合、図―３に示す、ボールマーク（３０）は、図―５に示す、バイザー（５３）の全域に使用が可能であり、取り付け時の取り付け位置が限定されず、自由である利点がある。
【実施例２】
【００１９】    図―６に示す、キャップ（６１）は、バイザー（６２）の中に、磁性体あるいは、磁性体に吸着作用を及ぼす短冊状の物体（６３）を、複数枚取り付けた物である。  この場合、バイザー（６２）の加工時の縫製時に、ミシン筋のラインに合わせた大きさや、形の選択が自由に出来る。
【実施例３】
【００２０】  図―７に示す、キャップ（７１）は、バイザー（７２）の中に、磁性体あるいは、磁性体に吸着作用を及ぼす、網目状の物体（７３）を取り付けた物である。  網目のサイズを限定するものではないが、網目の間隔が極小さい、布状の物も含まれる。
この場合、バイザー（７１）の加工時の縫製時に、ミシン針に支障を及ぼす事が少ない。
【実施例４】
【００２１】  図―８に示す、キャップ（８１）は、バイザー（８２）の中に、磁性体あるいは磁性体に吸着作用を及ぼす、穴開きの平板を取り付けた物である。  開口の大きさや形、並びに、開口の数量には限定するものではない。  開口を設けることによって、バイザー（８１）の自重が小さくなるほかに、天端には、さまざまなデザインをすることが可能になり、キャップ（８０）を使用する人のフッション性が高まる。
【実施例５】
【００２２】  図―９に示す、キャップ（９１）は、バイザー（９２）の中に、磁性体、あるいは磁性体に作用する線状の物体を、波状に取り付けたものである。
【実施例６】
【００２３】  図―１に示す、キャップ（１）の  バイザー（３）全体を、磁気シートで製作をする。
【実施例７】
【００２４】  図―１に示す、キャップ（１）のクラウン（２）を構成する、レンゲ（４）に、実施例１〜５に記述の、磁性体あるいは、磁性体に作用する物体を取り付けることによって、図―３に示す、ボールマーク（３０）の取り付け範囲が広がり  利便性が高まる。
【実施例８】
【００２５】  図―１０に示す、キャップ（１０１）は、図―４〜図―９以外のキャップを示しており、バイザー（１０３）の上に装飾品（１０４）が取り付けられている。  この場合、一般的には、装飾品（１０４）は、バイザー（１０３）や、クラウン（１０２）に縫い付けや、金具での取り付けや、接着により固定されている
これに対して、本発明の実施例１〜５に記述の、磁性体あるいは、磁性体に作用する物体を取り付ける事によって、一つのキャップで、多くの装飾品が自由に脱着可能になることから、利用範囲が広がり、経済効果も高まる。
【符号の説明】
【００２６】  １，４１，５１，６１，７１，８１，９１，１０１    キャップ
２，４２，５２，１０２    クラウン
３，４３，５３，６２，７２，８２，９２，１０３    バイザー
４，４４，５４    レンゲ
２０，４５    基盤
２１    基盤本体
２２    バネクリップ
３０，４６    ボールマーク
３１    ボールマーク磁石
５５，６３，７３，８３，９３    磁性体あるいは磁性体に作用する物体
１０４    装飾品
【図−１】
2019210583.tif 000003
【図−２】
2019210583.tif 000004
【図−３】
2019210583.tif 000005
【図−４】
2019210583.tif 000006
【図−５】
2019210583.tif 000007
【図−６】
2019210583.tif 000008
【図−７】
2019210583.tif 000009
【図−８】
2019210583.tif 000010
【図−９】
2019210583.tif 000011
【図−１０】
2019210583.tif 000012